(57)【要約】【課題】  名刺や葉書から情報を読み取って活用するシステムを簡単な構成で実現する。【解決手段】  利用者は、タグ付き名刺２０のＲＦＩＤタグ２１に、携帯電話機１０に内蔵されたライタ１７で個人情報や企業情報を書き込む。タグ付き名刺２０を受け取った利用者は、ＲＦＩＤタグ２１に書き込まれた情報を携帯電話機１０に内蔵されたリーダ１６で読み込む。制御部１４は読み込んだ情報を記憶部１５に保存することなく、読み込んだ情報に基づいて携帯電話機１０から発呼する。あるいは、制御部１４は読み込んだ情報を記憶部１５に保存することなく、読み込んだ情報に基づいて電子メールの宛先アドレスを携帯電話機１０の表示部１２に表示する。【選択図】      図１
2005167803.tif 000002
【特許請求の範囲】
【請求項１】
タグ付きカードと携帯電話機とを備え、
前記タグ付きカードは、情報を記録したタグを有し、
前記携帯電話機は、前記タグから情報を読み込むリーダと、読み込んだ情報に基づいて発呼する手段とを有することを特徴とする携帯電話機とタグ付きカードとの連携システム。
【請求項２】
タグ付きカードと携帯電話機とを備え、
前記タグ付きカードは、情報を記録したタグを有し、
前記携帯電話機は、前記タグから情報を読み込むリーダと、読み込んだ情報に基づいて電子メールの宛先アドレスを表示する手段とを有することを特徴とする携帯電話機とタグ付きカードとの連携システム。
【請求項３】
前記携帯電話機は、複数の前記タグ付きカードから前記タグに記録された情報を一括して読み込む手段と、読み込んだ情報を記憶部に格納する手段とを有することを特徴とする請求項１または２記載の携帯電話機とタグ付きカードとの連携システム。
【請求項４】
前記携帯電話機は、前記タグに情報を書き込むライタを有することを特徴とする請求項１、２または３記載の携帯電話機とタグ付きカードとの連携システム。
【請求項５】
前記携帯電話機は、複数の前記タグに一括して情報を書き込むライタを有することを特徴とする請求項１、２または３記載の携帯電話機とタグ付きカードとの連携システム。
【請求項６】
さらに、リード機器と電子行き先掲示板とを備え、
前記リード機器は前記タグから情報を読み取って前記電子行き先掲示板に送信する手段を備え、
前記電子行き先掲示板は、前記リード機器から受信した情報に基づいて前記タグ付きカードの所有者の行き先を掲示する手段を有することを特徴とする請求項１、２、３、４または５記載の携帯電話機とタグ付きカードとの連携システム。
【請求項７】
さらに、リード機器と情報処理端末とを備え、
前記リード機器は前記タグから情報を読み取って前記情報処理端末に送信する手段を備え、
前記情報処理端末は、前記リード機器から受信した情報に基づいて前記タグ付きカードの所有者の勤怠管理を行う手段を有することを特徴とする請求項１、２、３、４または５記載の携帯電話機とタグ付きカードとの連携システム。
【請求項８】
前記タグはＲＦＩＤタグであることを特徴とする請求項１、２、３、４、５、６または７記載の携帯電話機とタグ付きカードとの連携システム。
【請求項９】
タグ付きカードが有するタグから携帯電話機に含まれるリーダで情報を読み込むステップと、読み込んだ情報に基づいて前記携帯電話機から発呼するステップとを備えたことを特徴とする携帯電話機とタグ付きカードとの連携方法。
【請求項１０】
タグ付きカードが有するタグから携帯電話機に含まれるリーダで情報を読み込むステップと、読み込んだ情報に基づいて電子メールの宛先アドレスを前記携帯電話機に表示するステップとを備えたことを特徴とする携帯電話機とタグ付きカードとの連携方法。
【請求項１１】
複数の前記タグ付きカードから前記タグに記録された情報を一括して読み込むステップと、読み込んだ情報を記憶部に格納するステップとを備えたことを特徴とする請求項９または１０記載の携帯電話機とタグ付きカードとの連携方法。
【請求項１２】
前記携帯電話機に含まれるライタで前記タグに情報を書き込むステップを備えたことを特徴とする請求項９、１０または１１記載の携帯電話機とタグ付きカードとの連携方法。
【請求項１３】
前記携帯電話機に含まれるライタで複数の前記タグに一括して情報を書き込むステップを備えたことを特徴とする請求項９、１０または１１記載の携帯電話機とタグ付きカードとの連携方法。
【請求項１４】
リード機器が前記タグから情報を読み取って電子行き先掲示板に送信するステップと、前記電子行き先掲示板が前記リード機器から受信した情報に基づいて前記タグ付きカードの所有者の行き先を掲示するステップとを備えたことを特徴とする請求項９、１０、１１、１２または１３記載の携帯電話機とタグ付きカードとの連携方法。
【請求項１５】
リード機器が前記タグから情報を読み取って情報処理端末に送信するステップと、前記情報処理端末が前記リード機器から受信した情報に基づいて前記タグ付きカードの所有者の勤怠管理を行うステップとを備えたことを特徴とする請求項９、１０、１１、１２または１３記載の携帯電話機とタグ付きカードとの連携方法。
【請求項１６】
前記タグはＲＦＩＤタグであることを特徴とする請求項９、１０、１１、１２、１３、１４または１５記載の携帯電話機とタグ付きカードとの連携システム。
【請求項１７】
タグ付きカードに含まれるタグから情報を読み込むリーダと、読み込んだ情報に基づいて発呼する手段とを有することを特徴とする携帯電話機。
【請求項１８】
タグ付きカードに含まれるタグから情報を読み込むリーダと、読み込んだ情報に基づいて電子メールの宛先アドレスを表示する手段とを有することを特徴とする携帯電話機。
【請求項１９】
複数の前記タグ付きカードから前記タグに記録された情報を一括して読み込む手段と、読み込んだ情報を記憶部に格納する手段とを有することを特徴とする請求項１７または１８記載の携帯電話機。
【請求項２０】
前記タグに情報を書き込むライタを有することを特徴とする請求項１７、１８または１９記載の携帯電話機。
【請求項２１】
複数の前記タグに一括して情報を書き込むライタを有することを特徴とする請求項１７、１８または１９記載の携帯電話機。
【請求項２２】
前記タグはＲＦＩＤタグであることを特徴とする請求項１７、１８、１９、２０または２１記載の携帯電話機。
【請求項２３】
タグ付きカードが有するタグから携帯電話機に含まれるリーダで情報を読み込む処理と、読み込んだ情報に基づいて携帯電話機から発呼する処理とをコンピュータに実行させるためのプログラム。
【請求項２４】
タグ付きカードが有するタグから携帯電話機に含まれるリーダで情報を読み込む処理と、読み込んだ情報に基づいて電子メールの宛先アドレスを携帯電話機に表示する処理とをコンピュータに実行させるためのプログラム。
【請求項２５】
複数の前記タグ付きカードから前記タグに記録された情報を一括して読み込む処理と、読み込んだ情報を記憶部に格納する処理とをコンピュータに実行させるための請求項２３または２４記載のプログラム。
【請求項２６】
前記携帯電話機に含まれるライタで前記タグに情報を書き込む処理をコンピュータに実行させるための請求項２３、２４または２５記載のプログラム。
【請求項２７】
前記携帯電話機に含まれるライタで複数の前記タグに一括して情報を書き込む処理をコンピュータに実行させるための請求項２３、２４または２５記載のプログラム。
【請求項２８】
リード機器が前記タグから情報を読み取って電子行き先掲示板に送信する処理と、前記電子行き先掲示板が前記リード機器から受信した情報に基づいて前記タグ付きカードの所有者の行き先を掲示する処理とをコンピュータに実行させるための請求項２３、２４、２５、２６または２７記載のプログラム。
【請求項２９】
リード機器が前記タグから情報を読み取って情報処理端末に送信する処理と、前記情報処理端末が前記リード機器から受信した情報に基づいて前記タグ付きカードの所有者の勤怠管理を行う処理とをコンピュータに実行させるための請求項２３、２４、２５、２６または２７記載のプログラム。
【発明の詳細な説明】
【技術分野】
【０００１】
本発明は携帯電話機とタグ付カードとの連携システム、携帯電話機とタグ付カードとの連携方法およびプログラムに関し、特に、タグ付カードに含まれる情報を携帯電話機で読み込んで処理を行う、携帯電話機とタグ付カードとの連携システム、携帯電話機とタグ付カードとの連携方法およびプログラムに関する。
【背景技術】
【０００２】
従来より、携帯電話機を用いた、名刺などからの個人情報や企業情報読み込みシステムとして、ＯＣＲ（Optical Character Reader）を使ったシステムがあった。特許文献１には次のようなシステムが開示されている。名刺読み取り装置は、画像読み取り部に挿入された名刺に記載された文字情報の画像データを読み込む。読み込んだ画像データからＯＣＲ機能により名刺の文字情報を認識し、その文字データを氏名、電話番号などの項目別にデータ記憶部に記憶し表示部に表示する。名刺読み取り装置と携帯電話機との間でデータ転送を行うためのインターフェースが設けられ、データ記憶部に記憶された名刺の文字情報の文字データを携帯電話機に転送する。
【０００３】
また、最近は、携帯電話機に搭載されたカメラなどを使って二次元バーコードを読み込むシステムが、例えば特許文献２に提案されている。特許文献２によれば、携帯電話機に内蔵されたデジタルカメラ部で二次元バーコードの画像を撮影する。ここで得られた画像データをバーコード解読手段で文字コードに変換する。
【０００４】
【特許文献１】特開２００２−３２５１２０号公報（第３−５頁、図１）
【特許文献２】特開２００３−１９８６７４号公報（第４−５頁、図３）
【発明の開示】
【発明が解決しようとする課題】
【０００５】
上述した従来の携帯電話機を用いた読み込みシステムの内、ＯＣＲを使ったシステムでは、名刺に印刷された文字や数字などのアナログ表示された情報を読み取る必要がある。このため、読み取れる情報に制限があるという問題点があった。
【０００６】
また、カメラを用いた二次元バーコードを利用するためには、二次元バーコードを名刺などに印刷する必要がある。印刷のためには携帯電話機以外に印刷用の機器などを用意する必要があるという問題点があった。
【０００７】
さらに、これら、ＯＣＲや二次元バーコードを用いるシステムでは、読み取りの際に、読み取り対象となる名刺などを１枚ずつリードする必要がある。このため、たとえば年賀状のように、一度に大量のデータが発生し、処理しなければならないときは処理が面倒であるという問題点があった。
【０００８】
また、企業などで携帯電話機を利用する際、携帯電話機に顧客の企業や個人情報を保存していることが多い。携帯電話機の盗難の際などに、個人情報が第三者に漏れる恐れがあるなどのセキュリティ上の問題があった。
【０００９】
本発明の目的は、上記課題のいずれかを解決することにある。
【課題を解決するための手段】
【００１０】
本発明の携帯電話機とタグ付きカードとの連携システムは、タグ付きカードと携帯電話機とを備え、
前記タグ付きカードは、情報を記録したタグを有し、
前記携帯電話機は、前記タグから情報を読み込むリーダと、読み込んだ情報に基づいて発呼する手段とを有することを特徴とする。
【００１１】
本発明の携帯電話機とタグ付きカードとの連携システムは、タグ付きカードと携帯電話機とを備え、
前記タグ付きカードは、情報を記録したタグを有し、
前記携帯電話機は、前記タグから情報を読み込むリーダと、読み込んだ情報に基づいて電子メールの宛先アドレスを表示する手段とを有することを特徴としてもよい。
【００１２】
本発明の携帯電話機とタグ付きカードとの連携システムは、前記携帯電話機は、複数の前記タグ付きカードから前記タグに記録された情報を一括して読み込む手段と、読み込んだ情報を記憶部に格納する手段とを有することを特徴としてもよい。
【００１３】
本発明の携帯電話機とタグ付きカードとの連携システムは、前記携帯電話機は、前記タグに情報を書き込むライタを有することを特徴としてもよい。
【００１４】
本発明の携帯電話機とタグ付きカードとの連携システムは、前記携帯電話機は、複数の前記タグに一括して情報を書き込むライタを有することを特徴としてもよい。
【００１５】
本発明の携帯電話機とタグ付きカードとの連携システムは、さらに、リード機器と電子行き先掲示板とを備え、
前記リード機器は前記タグから情報を読み取って前記電子行き先掲示板に送信する手段を備え、
前記電子行き先掲示板は、前記リード機器から受信した情報に基づいて前記タグ付きカードの所有者の行き先を掲示する手段を有することを特徴としてもよい。
【００１６】
本発明の携帯電話機とタグ付きカードとの連携システムは、さらに、リード機器と情報処理端末とを備え、
前記リード機器は前記タグから情報を読み取って前記情報処理端末に送信する手段を備え、
前記情報処理端末は、前記リード機器から受信した情報に基づいて前記タグ付きカードの所有者の勤怠管理を行う手段を有することを特徴としてもよい。
【００１７】
本発明の携帯電話機とタグ付きカードとの連携システムは、前記タグはＲＦＩＤタグであることを特徴としてもよい。
【００１８】
本発明の携帯電話機とタグ付きカードとの連携方法は、タグ付きカードが有するタグから携帯電話機に含まれるリーダで情報を読み込むステップと、読み込んだ情報に基づいて前記携帯電話機から発呼するステップとを備えたことを特徴とする。
【００１９】
本発明の携帯電話機とタグ付きカードとの連携方法は、タグ付きカードが有するタグから携帯電話機に含まれるリーダで情報を読み込むステップと、読み込んだ情報に基づいて電子メールの宛先アドレスを前記携帯電話機に表示するステップとを備えたことを特徴としてもよい。
【００２０】
本発明の携帯電話機とタグ付きカードとの連携方法は、複数の前記タグ付きカードから前記タグに記録された情報を一括して読み込むステップと、読み込んだ情報を記憶部に格納するステップとを備えたことを特徴としてもよい。
【００２１】
本発明の携帯電話機とタグ付きカードとの連携方法は、前記携帯電話機に含まれるライタで前記タグに情報を書き込むステップを備えたことを特徴としてもよい。
【００２２】
本発明の携帯電話機とタグ付きカードとの連携方法は、前記携帯電話機に含まれるライタで複数の前記タグに一括して情報を書き込むステップを備えたことを特徴としてもよい。
【００２３】
本発明の携帯電話機とタグ付きカードとの連携方法は、リード機器が前記タグから情報を読み取って電子行き先掲示板に送信するステップと、前記電子行き先掲示板が前記リード機器から受信した情報に基づいて前記タグ付きカードの所有者の行き先を掲示するステップとを備えたことを特徴としてもよい。
【００２４】
本発明の携帯電話機とタグ付きカードとの連携方法は、リード機器が前記タグから情報を読み取って情報処理端末に送信するステップと、前記情報処理端末が前記リード機器から受信した情報に基づいて前記タグ付きカードの所有者の勤怠管理を行うステップとを備えたことを特徴としてもよい。
【００２５】
本発明の携帯電話機とタグ付きカードとの連携方法は、前記タグはＲＦＩＤタグであることを特徴としてもよい。
【００２６】
本発明の携帯電話機は、タグ付きカードに含まれるタグから情報を読み込むリーダと、読み込んだ情報に基づいて発呼する手段とを有することを特徴とする。
【００２７】
本発明の携帯電話機は、タグ付きカードに含まれるタグから情報を読み込むリーダと、読み込んだ情報に基づいて電子メールの宛先アドレスを表示する手段とを有することを特徴としてもよい。
【００２８】
本発明の携帯電話機は、複数の前記タグ付きカードから前記タグに記録された情報を一括して読み込む手段と、読み込んだ情報を記憶部に格納する手段とを有することを特徴としてもよい。
【００２９】
本発明の携帯電話機は、前記タグに情報を書き込むライタを有することを特徴としてもよい。
【００３０】
本発明の携帯電話機は、複数の前記タグに一括して情報を書き込むライタを有することを特徴としてもよい。
【００３１】
本発明の携帯電話機は、前記タグはＲＦＩＤタグであることを特徴としてもよい。
【００３２】
本発明のプログラムは、タグ付きカードが有するタグから携帯電話機に含まれるリーダで情報を読み込む処理と、読み込んだ情報に基づいて携帯電話機から発呼する処理とをコンピュータに実行させる。
【００３３】
本発明のプログラムは、タグ付きカードが有するタグから携帯電話機に含まれるリーダで情報を読み込む処理と、読み込んだ情報に基づいて電子メールの宛先アドレスを携帯電話機に表示する処理とをコンピュータに実行させるようにしてもよい。
【００３４】
本発明のプログラムは、複数の前記タグ付きカードから前記タグに記録された情報を一括して読み込む処理と、読み込んだ情報を記憶部に格納する処理とをコンピュータに実行させるようにしてもよい。
【００３５】
本発明のプログラムは、前記携帯電話機に含まれるライタで前記タグに情報を書き込む処理をコンピュータに実行させるようにしてもよい。
【００３６】
本発明のプログラムは、前記携帯電話機に含まれるライタで複数の前記タグに一括して情報を書き込む処理をコンピュータに実行させるようにしてもよい。
【００３７】
本発明のプログラムは、リード機器が前記タグから情報を読み取って電子行き先掲示板に送信する処理と、前記電子行き先掲示板が前記リード機器から受信した情報に基づいて前記タグ付きカードの所有者の行き先を掲示する処理とをコンピュータに実行させるようにしてもよい。
【００３８】
本発明のプログラムは、リード機器が前記タグから情報を読み取って情報処理端末に送信する処理と、前記情報処理端末が前記リード機器から受信した情報に基づいて前記タグ付きカードの所有者の勤怠管理を行う処理とをコンピュータに実行させるようにしてもよい。
【発明の効果】
【００３９】
本発明によれば、以下に記載する効果の内、いずれかの効果が得られる。
【００４０】
発呼先電話番号を、携帯電話機に内部に保存することなく、名刺や年賀状などから携帯電話機に読み込むことにより、相手先に自動的に電話をかけることができる。
【００４１】
相手先メールアドレスを、携帯電話機に内部に保存することなく、名刺や年賀状などから携帯電話機に読み込むことにより、自動的に表示することができる。
【００４２】
企業などで携帯電話機を従業員が利用する場合、顧客情報を書き込んだカード（名刺）を携帯し、携帯電話機内部には顧客情報を保存しないという使い方が可能になる。その場合、携帯電話機を紛失したときなど、顧客情報が第三者に知れるということが無い。
【発明を実施するための最良の形態】
【００４３】
次に、本発明を実施するための最良の形態について図面を参照して詳細に説明する。図１は第１の実施の形態の構成を示すブロック図である。携帯電話機１０とタグ付き名刺２０とを有する。
【００４４】
タグ付き名刺２０は、ＲＦＩＤ（Radio Frequency Identification）タグ２１を含む。携帯電話機１０は、表示部１２と操作部１３と制御部１４と記憶部１５とリーダ１６とライタ１７とを含む。表示部１２はＬＣＤ（liquid crystal device）等を使用して情報を表示する。操作部１３は利用者が携帯電話機１０へのデータ入力や携帯電話機１０の操作のために用いる。記憶部１５はデータを一時記憶する。ライタ１７はタグ付き名刺２０のＲＦＩＤタグ２１に情報を書き込む。リーダ１６はタグ付き名刺２０のＲＦＩＤタグ２１から情報を読み込む。制御部１４は携帯電話機１０内のこれら各部を制御する。
【００４５】
次に、第１の実施の形態の動作について説明する。図２はタグ付き名刺２０への書き込み動作を示すフローチャートである。携帯電話機１０の利用者は、ライタ１７を使用してタグ付き名刺２０のＲＦＩＤタグ２１へ、個人情報や企業情報などのデータの書き込みを行う（ステップＳ２０１０）。この操作は、表示部１２と操作部１３とを使用して行う。個人情報とは例えば、氏名、住所、電話番号、電子メールアドレスなどである。企業情報とは例えば、会社名、所属部署名、住所、電話番号、ホームページのＵＲＬ（Uniform Resource Locator）などである。
【００４６】
図３は複数のタグ付き名刺２０への一括書き込み動作を示すフローチャートである。携帯電話機１０の利用者は、ライタ１７を使用して複数のタグ付き名刺２０のＲＦＩＤタグ２１へ、個人情報や企業情報などのデータの一括書き込みを行う（ステップＳ３０１０）。一括書き込みとは、同一データを複数のタグへ一度に書き込むことである。
【００４７】
ライタ１７搭載の携帯電話機１０だけで、タグ付き名刺２０へ書き込みを実施することにより、書き込みのための特別な器機を必要とせず、タグ付き名刺２０を作成できる。また、ＲＦＩＤタグ２１を利用することで、従来の名刺などに書かれている情報より、多くの情報を名刺などに書き込むことができる。
【００４８】
図４はタグ付き名刺２０からの読み込み動作を示すフローチャートである。本システムで規定されるフォーマットのデータが書き込まれたタグ付名刺２０を入手した場合、利用者はタグ付き名刺２０のＲＦＩＤタグ２１に書き込まれた情報を携帯電話機１０のリーダ１６で１枚ずつ読み込む（ステップＳ４０１０）。制御部１４は、リーダ１６が読み込んだ情報を記憶部１５に保存（情報登録）する（ステップＳ４０２０）。
【００４９】
図５は複数のタグ付き名刺２０からの一括読み込み動作を示すフローチャートである。利用者は複数のタグ付き名刺２０のＲＦＩＤタグ２１に書き込まれた情報を携帯電話機１０のリーダ１６で一括して読み込む（ステップＳ４０１０）。制御部１４は、リーダ１６が読み込んだ情報を記憶部１５に保存（情報登録）する（ステップＳ４０２０）。
【００５０】
携帯電話機を利用するときに必要な、発呼先電話番号、相手先メールアドレスなどを、名刺などから、携帯電話機に「一括して」読み込み、携帯電話機内部に保存することができる。
【００５１】
図６はタグ付き名刺２０からデータを読み込み、読み込んだデータを利用する動作を示すフローチャートである。利用者はタグ付き名刺２０のＲＦＩＤタグ２１に書き込まれた情報を携帯電話機１０のリーダ１６で１枚ずつ読み込む（ステップＳ６０１０）。制御部１４は、リーダ１６が読み込んだデータを記憶部１５に保存することなく、読み込んだデータの一部である「相手先電話番号」に対して、携帯電話機１０から発呼する（ステップＳ６０２０）。発呼とは電話をかけることである。
【００５２】
ステップＳ６０２０では、読み込んだデータの一部である「相手先メールアドレス」をメール文の宛先に自動指定（表示）するようにしてもよい。発呼するか宛先指定するかは、そのときの携帯電話機１０のモードにより制御部１４が自動選択してもよく、利用者が操作部１３で指定してもよい。
【００５３】
また、ステップＳ６０２０では、読み込んだデータの一部であるホームページのＵＲＬをインターネットのアクセス先として自動表示するようにしてもよい。あるいは、利用者が操作することなくＵＲＬに自動アクセスするようにしてもよい。
【００５４】
第１の実施の形態では、ＲＦＩＤタグ２１を有するタグ付き名刺２０の例を説明したが、名刺に限定されるものではなく、葉書や封書など、個人情報や企業情報などを保持するものに応用できる。たとえば、タグ付き年賀状から一括して個人情報を読み込むことにより、住所録等の作成、整理が容易となる。ＲＦＩＤタグ２１は、ＲＦＩＤに限定されるものではなく他の方式のタグであってよいが、ＲＦＩＤを使用することにより、簡単で安価に本発明を実現できる。また、ＲＦＩＤを使用することにより、複数のタグからの一括読み込みや複数のタグへの一括書き込みを容易に実現できる。
【００５５】
次に、本発明の第２の実施の形態について説明する。図７は第２の実施の形態の構成を示すブロック図である。図７を参照すると、図１で説明した第１の実施の形態の構成に加えて、タグリード機器３０と電子行き先掲示板４０とネットワーク１００とを含む。
【００５６】
タグリード機器３０は、タグ付き名刺２０のＲＦＩＤタグ２１を読み込む装置であり、社内のフロアの出入り口や会議室の出入り口に設置される。電子行き先掲示板４０は、社員の行き先を電子的に表示する掲示板である。ネットワーク１００は、タグリード機器３０と電子行き先掲示板４０とを接続するイントラネットである。
【００５７】
図８は第２の実施の形態の動作を示すフローチャートである。利用者はあらかじめタグ付き名刺２０のＲＦＩＤタグ２１に携帯電話機１０のライタ１７を利用して個人情報を書き込む。これは第１の実施の形態のステップＳ２０１０と同じである。利用者がタグ付き名刺２０を個人特定のための認証カードとして携帯すれば、タグリード機器３０がＲＦＩＤタグ２１から個人情報を読み込む（ステップＳ７０１０）。タグリード機器３０は、読み込んだ個人情報をネットワーク１００を介して電子行き先掲示板４０に送信する（ステップＳ７０２０）。電子行き先掲示板４０は、タグリード機器３０の位置情報と受信した個人情報とをもとに、利用者の行き先を表示する（ステップＳ７０３０）。
【００５８】
ライタ１７搭載の携帯電話機１０の書き込み機能によって作成した名刺などを、個人認証のためのカード（社員証）として利用可能である。また、社内にタグリード機器３０およびタグリード機器３０と連携した社内電子掲示板などを設置することにより、社員の位置情報の管理に利用できる。
【００５９】
次に、本発明の第３の実施の形態について説明する。図９は第３の実施の形態の構成を示すブロック図である。図９を参照すると、図７で説明した第２の実施の形態の電子行き先掲示板４０の代わりにパーソナルコンピュータ５０を含む。パーソナルコンピュータ５０は、社内の人事部や勤労部で使用する情報処理端末であり、表示部、入出力部、記憶部等を有する。
【００６０】
図１０は第３の実施の形態の動作を示すフローチャートである。ステップ８０１０は第２の実施の形態のステップ７０１０と同じである。タグリード機器３０は、読み込んだ個人情報をネットワーク１００を介してパーソナルコンピュータ５０に送信する（ステップＳ８０２０）。パーソナルコンピュータ５０は、時間情報と受信した個人情報とをもとに、利用者の勤怠管理データの作成、記憶部への保管、表示部への表示を行う（ステップＳ８０３０）。このようにして、従業員など個人の、社内での勤怠管理に利用できる。
【００６１】
本発明の第１〜第３の実施の形態の携帯電話機１０、タグリード機器３０、電子行き先掲示板４０またはパーソナルコンピュータ５０の動作はコンピュータ・プログラム処理により行わせることが可能である。すなわち、記録媒体に記録したプログラムを携帯電話機１０、タグリード機器３０、電子行き先掲示板４０またはパーソナルコンピュータ５０に読み込ませるか、あるいは、ネットワークからプログラムを携帯電話機１０、タグリード機器３０、電子行き先掲示板４０またはパーソナルコンピュータ５０に読み込ませて、実施の形態で説明した動作を実行させる。
【図面の簡単な説明】
【００６２】
【図１】第１の実施の形態の構成を示すブロック図である。
【図２】タグ付き名刺への書き込み動作を示すフローチャートである。
【図３】複数のタグ付き名刺への一括書き込み動作を示すフローチャートである。
【図４】タグ付き名刺からの読み込み動作を示すフローチャートである。
【図５】複数のタグ付き名刺からの一括読み込み動作を示すフローチャートである。
【図６】タグ付き名刺からデータを読み込み、読み込んだデータを利用する動作を示すフローチャートである。
【図７】第２の実施の形態の構成を示すブロック図である。
【図８】第２の実施の形態の動作を示すフローチャートである。
【図９】第３の実施の形態の構成を示すブロック図である。
【図１０】第３の実施の形態の動作を示すフローチャートである。
【符号の説明】
【００６３】
１０    携帯電話機
１２    表示部
１３    操作部
１４    制御部
１５    記憶部
１６    リーダ
１７    ライタ
２０    タグ付き名刺
２１    ＲＦＩＤタグ
３０    タグリード機器
４０    電子行き先掲示板
５０    パーソナルコンピュータ
１００    ネットワーク
【図１】
2005167803.tif 000003
【図２】
2005167803.tif 000004
【図３】
2005167803.tif 000005
【図４】
2005167803.tif 000006
【図５】
2005167803.tif 000007
【図６】
2005167803.tif 000008
【図７】
2005167803.tif 000009
【図８】
2005167803.tif 000010
【図９】
2005167803.tif 000011
【図１０】
2005167803.tif 000012